(57)【要約】【課題】  濁音文字の後に付与すべき濁音符／半濁音符を表現する濁音記号を入力し、かつ、未確定状態で一旦２文字分として扱うタイプにおいて、濁音文字や半濁音文字に対する誤操作による誤処理を容易に修正でき、編集効率を向上できる文字処理方法および文字処理装置を提供する。【解決手段】  濁音符／半濁音符を付与する被濁音文字を仮名入力し、直後に濁音符／半濁音符の未確定状態として濁音記号を入力し、未確定状態から確定状態に移行させる確定操作が行われたときに、被濁音文字および濁音記号の合計２文字分の代わりに、１文字分の濁音文字／半濁音文字として確定する文字処理方法／装置であって、濁音符／半濁音符の入力が未確定状態で第１操作が行われ、その作用をキャンセルする第２操作が直後に行われたときに、第１操作直後が未確定状態か否かに拘わらず、第２操作後には未確定状態にすることを特徴とする。【選択図】  図８
2011187085.tif 000002
【特許請求の範囲】
【請求項１】
濁音符または半濁音符を付与することにより濁音文字または半濁音文字となる１文字分の被濁音文字を仮名入力した後、
前記被濁音文字の次に前記濁音符または前記半濁音符を１文字分として入力して、濁音文字または半濁音文字を未確定状態とし、
この未確定状態から確定状態になる確定操作が行われたときに、前記濁音文字または前記半濁音文字を１文字分として確定するようにした文字処理装置の制御方法であって、
前記確定操作が行われた後に当該確定操作を取り消す取消操作が行われたときに、１文字分として確定した前記濁音文字または前記半濁音文字を、前記被濁音文字および前記濁音符、または前記被半濁音文字および前記半濁音符の２文字分に分ける共に、前記濁音符または前記半濁音符を前記未確定状態に戻すことを特徴とする文字処理装置の制御方法。
【請求項２】
実行の可否を指示する確認操作を前提として、前記未確定状態から文書全体を消去する全文消去処理が可能であり、
前記取消操作には、不実行を指示する前記確認操作が含まれることを特徴とする請求項１に記載の文字処理装置の制御方法。
【請求項３】
前記確定操作には、未確定状態において、前記濁音符または前記半濁音符の次に文字を入力する操作が含まれることを特徴とする請求項１または２に記載の文字処理装置の制御方法。
【請求項４】
濁音符または半濁音符を付与することにより濁音文字または半濁音文字となり得る被濁音文字を仮名入力するための被濁音文字入力手段と、
前記被濁音文字の次に前記濁音符または前記半濁音符を１文字分として入力して、濁音文字または半濁音文字を未確定状態とするための濁音記号入力手段と、
この未確定状態から確定状態になる確定操作が行われたときに、前記濁音文字または前記半濁音文字を１文字分として確定する濁音確定手段と、
前記確定操作が行われた後に当該確定操作を取り消す取消操作が行われたときに、１文字分として確定した前記濁音文字または前記半濁音文字を、前記被濁音文字および前記濁音符、または前記被半濁音文字および前記半濁音符の２文字分に分ける共に、前記濁音符または前記半濁音符を前記未確定状態に戻す確定取消手段と、を備えたことを特徴とする文字処理装置。
【請求項５】
実行の可否を指示する確認操作を前提として、前記未確定状態から文書全体を消去する全文消去処理を可能にする全文消去手段を、さらに備え、
前記取消操作には、不実行を指示する前記確認操作が含まれることを特徴とする請求項４に記載の文字処理装置。
【請求項６】
前記確定操作には、未確定状態において、前記濁音符または前記半濁音符の次に文字を入力する操作が含まれることを特徴とする請求項４または５に記載の文字処理装置。
【請求項７】
印刷画像として印刷対象物に印刷する印刷手段を、更に備え、
前記印刷対象物がテープであることを特徴とする請求項４ないし６のいずれかに記載の文字処理装置。
【発明の詳細な説明】
【技術分野】
【０００１】
本発明は、平仮名または片仮名の仮名入力により入力された文字を処理する文字処理装置の制御方法および文字処理装置に関する。
【背景技術】
【０００２】
いわゆる「仮名入力」が可能な文字処理装置において、例えば「ば」のような濁音文字や「ぱ」のような半濁音文字を入力する場合、一旦、「は」と入力し、その直後に濁音符（゛）や半濁音符（゜）を入力する。この場合の「は」のように、濁音符を付すことにより濁音文字と成り得る文字（または半濁音符を付すことにより半濁音文字と成り得る文字）を、以下、「被濁音文字」と呼ぶ。すなわち、仮名入力においては、被濁音文字の入力直後に濁音符や半濁音符を入力することにより、濁音文字や半濁音文字を入力する（例えば、特許文献１参照）。
【０００３】
この場合、濁音文字や半濁音文字として確定するまでの経過は、２つのタイプに大別される。一方は、比較的高速・高機能の文字処理装置（ワープロ等）におけるように、被濁音文字（例えば「は」）の後に濁音符（゛）などが入力された直後に、単独の「゛」で表示されることなく、被濁音文字（「は」）が直接「ば」に変換されるタイプである。そして、他方は、以下に説明する処理能力（処理速度等）が比較的低い小型の文字処理装置（テープ印刷装置等）において採用されているタイプである。すなわち、被濁音文字（「は」）の後に濁音符（゛）などを表す１文字分の濁音記号が未確定（の入力）状態で表示されるタイプであり、一旦、２文字分として表示され、その後の操作（例えば選択キーの押下）により、１文字分の濁音文字（「ば」）に変換される。
【０００４】
このタイプの場合、例えば図１７に示すように、「カバ」と入力するときには、一旦、「カハ」の２文字分＋「゛」の未確定状態の１文字分の合計３文字分となり（Ｔ１２０）、その後の選択キー３２３の押下により確定される（Ｔ１２１）、あるいは印刷キー３２２の押下により確定状態に移行するとともに印刷画像Ｇ０が（例えばテープに）印刷される。また、このタイプの場合、小型故に比較的表示画面が小さく（図１７の例では３文字分の表示画面）、被濁音文字＋濁音記号の２文字分を早く１文字分にまとめて表示したいこと、さらには早く１文字にまとめることで前者のタイプの操作（処理）に近づけたいこと、などの理由から、後述の操作（濁音記号入力直後の濁音記号の削除の操作）以外の操作が行われた場合、１文字にまとめる処理（１文字として確定させる：確定処理）を行う。例えば図１６に示すように、「パ」の未確定状態（すなわち「ハ」＋「゜」の未確定状態）から「リ」を入力する（入れる）だけで、「パ」の確定処理を同時に行うので、一旦、確定させる操作を行うことなく、「パリ」と入力できる。
【０００５】
また、特に小型のものではキー数節約のために、１文字削除の削除キーを所定時間（例えば２秒間）以上押し続ける（長押しする）ことで、文書全体を消去する「全文消去」を指示するものがある。この場合、例えば図１５に示すように、１文字削除のつもりで押して、それが長くなってしまった可能性があるので、全文消去か否かを確認するメッセージを表示し（Ｔ１０２）、ユーザにより選択キー３２３が押された時点で、全文消去を行って、初期状態に戻す（Ｔ１０３）。一方、やはり誤操作のときには、ユーザは取消キー３２６（または削除キー３２４）を押すことにより、「全文消去」の指示（となってしまった操作）をキャンセルできる。この場合、他の処理の場合と同様に、標準的（暗黙的）な処理として確定処理を行うので、「全文消去」がキャンセルされた時点で、「バ」が確定入力された状態になっている（Ｔ１０４）。
【先行技術文献】
【特許文献】
【０００６】
【特許文献１】特開平５−２６６００３号公報
【発明の概要】
【発明が解決しようとする課題】
【０００７】
ところで、上述の（後者の）タイプの場合、被濁音文字と濁音記号とを個別に２文字分として扱うので、例えば図１４に示すように、１文字分の濁音記号（ここでは「゛」の記号）がカーソルＫの直前に未確定状態で表示されているときには（Ｔ１００）、その濁音記号を削除する削除キー３２４の押下により（あるいは濁音記号の入力を取り消す取消キー３２６の押下などにより）、「バ」の未確定状態（すなわち「ハ」＋「゛」の未確定状態）から被濁音文字「ハ」の単独の状態に容易に戻せる（Ｔ１０１：なお、図中の黒地四角に白文字「１」のマーク白抜きは第１行の行頭を示す行マークである）。これに対し、前者のタイプの場合「バ」を「ハ」に戻すには「バ」を消して「ハ」を入力し直す必要がある。このため、後者のタイプの場合、未確定状態からであれば、例えば濁音文字と半濁音文字の交換（例えば「バ」を「パ」に修正すること）も容易である（Ｔ１０２）。すなわち、この点は、後者のタイプの利点となっている。
【０００８】
しかしながら、図１５の例の場合、例えば図１４で前述の「バ」を「パ」に変える例と同様に、そもそも「バ」の未確定状態（すなわち「ハ」＋「゛」の未確定状態）から被濁音文字「ハ」の単独の状態に戻そうとして削除キー３２４を操作したのであるから、その目的を達成するためには、さらに「バ」を削除し（Ｔ１０５）、「ハ」を入力し（Ｔ１０６）、「゜」を入力する必要がある（Ｔ１０１）。また、図１６（ａ）の「パリ」を図１６（ｂ）のように誤って「バリ」と入力してしまったときも、同様となる（Ｔ１１３（図１５のＴ１０４と同じ）＋Ｔ１０５〜Ｔ１０７参照）。また、図１８に示すように、「コンパ」を誤って「コンバ」と入力し（Ｔ１３０）、それに気づかずに選択キー３２３を押下して（あるいは印刷キー３２２の押下により図１８（ｂ）のように印刷画像Ｇ１を印刷して）、確定させてしまった場合（Ｔ１３１）も、同様の操作が必要になる（Ｔ１３２〜Ｔ１３５）。すなわち、後者のタイプの利点（被濁音文字と濁音記号とを個別に２文字分として扱うため、濁音文字と半濁音文字との交換が容易になるという利点）を、上述の各例では生かすことができず、濁音記号を間違って入力した場合などの誤操作による誤処理を容易に修正できない。
【０００９】
本発明は、１文字分の被濁音文字の後にそれに付与すべき濁音符または半濁音符を表現する１文字分の濁音記号を入力し、かつ、未確定状態で一旦２文字分として扱うタイプにおいて、濁音文字や半濁音文字に対する誤操作による誤処理を容易に修正でき、編集効率を向上できる文字処理装置の制御方法および文字処理装置を提供することを目的とする。
【課題を解決するための手段】
【００１０】
本発明の文字処理装置の制御方法は、濁音符または半濁音符を付与することにより濁音文字または半濁音文字となる１文字分の被濁音文字を仮名入力した後、被濁音文字の次に濁音符または半濁音符を１文字分として入力して、濁音文字または半濁音文字を未確定状態とし、この未確定状態から確定状態になる確定操作が行われたときに、濁音文字または半濁音文字を１文字分として確定するようにした文字処理装置の制御方法であって、確定操作が行われた後に確定操作を取り消す取消操作が行われたときに、１文字分として確定した濁音文字または半濁音文字を、被濁音文字および濁音符、または被半濁音文字および半濁音符の２文字分に分ける共に、濁音符または半濁音符を未確定状態に戻すことを特徴とする。
【００１１】
本発明の文字処理装置は、濁音符または半濁音符を付与することにより濁音文字または半濁音文字となり得る被濁音文字を仮名入力するための被濁音文字入力手段と、被濁音文字の次に濁音符または半濁音符を１文字分として入力して、濁音文字または半濁音文字を未確定状態とするための濁音記号入力手段と、この未確定状態から確定状態になる確定操作が行われたときに、濁音文字または半濁音文字を１文字分として確定する濁音確定手段と、確定操作が行われた後に確定操作を取り消す取消操作が行われたときに、１文字分として確定した濁音文字または半濁音文字を、被濁音文字および濁音符、または被半濁音文字および半濁音符の２文字分に分ける共に、濁音符または半濁音符を未確定状態に戻す確定取消手段と、を備えたことを特徴とする。
【００１２】
これらの構成によれば、基本的には、１文字分の被濁音文字を仮名入力し、その直後に、濁音符または半濁音符を表現する１文字分の濁音記号を（未確定）入力し、確定操作が行われたときに、未確定状態から確定状態に移行させる。すなわち、被濁音文字およびその直後の濁音記号の合計２文字分の代わりに、１文字分の濁音文字または半濁音文字として確定する。この場合、確定操作が行われた後に確定操作を取り消す取消操作が行われたときに、未確定状態に戻すようにする。これにより、その時点の状態からやり直しやすくなり、誤操作した場合等のやり直し（処理修正）が煩雑になるのを防止でき、濁音文字や半濁音文字に対する誤操作による誤処理を容易に修正でき、編集効率を向上できる。
【００１３】
また、上記の制御方法において、実行の可否を指示する確認操作を前提として、未確定状態から文書全体を消去する全文消去処理が可能であり、取消操作には、不実行を指示する確認操作が含まれることが好ましい。
【００１４】
また、上記の文字処理装置において、実行の可否を指示する確認操作を前提として、未確定状態から文書全体を消去する全文消去処理を可能にする全文消去手段を、さらに備え、取消操作には、不実行を指示する確認操作が含まれることが好ましい。
【００１５】
これらの構成によれば、全文消去処理の実行可否の確認に対してその不実行を指示することにより、全文消去操作の全文消去処理をキャンセルでき、これにより、濁音符または半濁音符の入力を未確定状態にする（未確定状態に戻す）。すなわち、誤操作等に全文消去処理を指示してしまった場合に、それをキャンセルできるばかりでなく、濁音文字や半濁音文字の入力状態も元に戻せるので、その時点からのやり直し（修正処理）がしやすくなり、編集効率を向上できる。
【００１６】
また、上記の制御方法において、確定操作には、未確定状態において、濁音符または半濁音符の次に文字を入力する操作が含まれることが好ましい。
【００１７】
また、上記の文字処理装置において、確定操作には、未確定状態において、濁音符または半濁音符の次に文字を入力する操作が含まれることが好ましい。
【００１８】
これらの構成によれば、被濁音文字およびその直後の濁音記号の合計２文字分に後続する文字の入力操作が可能であり、後続文字の入力を取り消す操作を行った場合、後続文字を入力した時点で濁音文字や半濁音文字が確定状態となっていても未確定状態に戻せるので、その状態から容易に修正できる。
【００１９】
また、請求項９ないし１５のいずれかの文字処理装置において、印刷画像として印刷対象物に印刷する印刷手段をさらに備え、前記第１操作として、前記被濁音文字およびその直後の前記濁音記号の合計２文字分を未確定状態から確定状態に移行させて、１文字分の濁音文字または半濁音文字として確定し、確定された分を含みそれまでに入力された分の文字の画像を前記印刷画像として印刷する印刷処理を指示する印刷指示操作が可能であり、その作用の一部である確定処理を取り消す第２操作が存在することが好ましい。
【００２０】
また、上記の文字処理装置において、印刷画像として印刷対象物に印刷する印刷手段を、更に備え、印刷対象物がテープであることが好ましい。
【００２１】
この文字処理装置では、印刷対象物がテープなので、テープ印刷装置に適用できる。
【発明の効果】
【００２２】
上述のように、本発明の文字処理装置の制御方法および文字処理装置によれば、１文字分の被濁音文字の後にそれに付与すべき濁音符または半濁音符を表現する１文字分の濁音記号を入力し、かつ、未確定状態で一旦２文字分として扱うタイプにおいて、濁音文字や半濁音文字に対する誤操作等による誤処理を容易に修正でき、編集効率を向上できる、などの効果がある。
【図面の簡単な説明】
【００２３】
【図１】本発明の一実施形態に係るテープ印刷装置の外観斜視図である。
【図２】図１のテープ印刷装置の装置ケースを省略して、裏側から見た全体底面図である。
【図３】図１のテープ印刷装置の全体断面図である。
【図４】図１のテープ印刷装置のブロック図である。
【図５】表示用データのデータ構造および表示の状態の例を示す説明図である。
【図６】画面表示状態、それに対する操作、およびそれに対応する印刷結果の例を示す説明図である。
【図７】仮名入力により濁音文字「バ」を入力しそれを修正して半濁音文字「パ」にする場合の、画面表示状態およびそれに対する操作の一例を示す説明図である。
【図８】全文消去指示の操作をしそれをキャンセルする場合の、画面表示状態およびそれに対する操作の一例を示す説明図である。
【図９】別の一例を示す、図７と同様の説明図である。
【図１０】図９の例を模式的に整理した説明図である。
【図１１】仮名入力により濁音文字「バ」を入力しそれを確定する場合の、画面表示状態およびそれに対する操作の一例を示す説明図である。
【図１２】さらに別の一例を示す、図７と同様の説明図である。
【図１３】さらに別の一例を示す、図７と同様の説明図である。
【図１４】図７に対応する従来の文字処理方法の例を示す説明図である。
【図１５】図８に対応する従来の文字処理方法の例を示す説明図である。
【図１６】図９に対応する従来の文字処理方法の例を示す説明図である。
【図１７】図１１に対応する従来の文字処理方法の例を示す説明図である。
【図１８】図１２に対応する従来の文字処理方法の例を示す説明図である。
【発明を実施するための形態】
【００２４】
以下、本発明の一実施形態に係るテープ印刷装置について、添付図面を参照しながら詳細に説明する。
【００２５】
図１は、テープ印刷装置１の全体斜視図であり、図２は、テープ印刷装置１の装置ケースを省略して裏側から見た全体底面図であり、図３は、全体断面図であり、図４は、ブロック図である。このテープ印刷装置１は、テープＴを収容したテープカートリッジＣを着脱自在に装着し、テープカートリッジＣからテープＴを送り出しながら、ユーザによって入力された印刷データに基づいて、文字、記号、図形および装飾等の印刷を行い、その印刷済み部分を印刷データに基づいて算出したテープ長となるように切断して、ラベルを作成するものである。
【００２６】
図１ないし図３に示すように、テープ印刷装置１は、装置ケース２により全体として平面視卵形に外殻が形成され、その前部上面には各種入力キーから成るキーボード３を備え、後部上面にはＬＣＤ等から成るディスプレイ４が配設されている。装置ケース２は、上面を構成する上ケース２ａと、上ケース２ａに溶着した中間に位置する中ケース２ｂと、下面を構成する下ケース２ｃとで構成され、下ケース２ｃは、中ケース２ｂに対し取り外し可能に構成され、下面側からテープカートリッジＣと電池Ｅが着脱自在に装着され、このテープカートリッジＣ内に印刷対象物となる剥離紙付きのテープＴが繰り出し自在に収容されている。また、装置ケース２の後側部には、装置ケース２の外側に突出すると共に側面に沿って前方に湾曲して延在する手動操作レバー２１が取り付けられている。さらに、下面内側には、手前に３本および奥側に３本の計６本の電池Ｅを段違いに収容する電池収容部２３と、奥側にテープカートリッジＣを着脱自在に収容するポケット６が形成されている。
【００２７】
また、図４に示すように、基本的な構成として、キーボード３やディスプレイ４を有してユーザとのインタフェースを行う操作部１１０、印刷ヘッド（サーマルヘッド）７やテープ送りモータ８を有してポケット６内に装着したテープカートリッジＣのテープＴに印刷を行う印刷部１２０、各種ドライバを有して各部回路を駆動する駆動部１３０、印刷後のテープＴの切断を行う切断部１４０、および、各部を制御する制御部２００を備えている。このため、装置ケース２の内部には、印刷部１２０、切断部１４０などの他、図外の回路基板が収納され、この回路基板には、電源ユニットの他、駆動部１３０や制御部２００の各回路などが搭載されている。
【００２８】
印刷部１２０には、テープカートリッジＣを装着するポケット６が設けられ、ポケット６には、テープカートリッジＣの装着を案内するガイド突起２７と、テープカートリッジＣの被駆動部に回転動力を付与するプラテン駆動軸２８およびリボン巻取軸２９と、プラテン駆動軸２８に対峙して印刷ヘッド７を備えたヘッドユニット９とが垂設されている。
【００２９】
一方、テープカートリッジＣには、テープリール５７に巻回されたテープＴの他、テープＴと同様にその幅方向を上下に位置させた縦姿勢で長手方向に沿って送られるインクリボンＲ、プラテン駆動軸２８に係合するプラテン５８などが搭載されている。また、プラテン５８の近傍には、印刷ヘッド７が臨むヘッド開口５５が形成されている。インクリボンＲは、プラテン５８（印刷ヘッド７）の位置（印刷位置７ａ）でテープＴに重なって併走し、その後、リボン巻取軸２９が係合するリボン巻取リール５９に巻き取られる。また、テープＴは、テープカートリッジＣのケース側部に形成したスリット開口を通過して、テープ排出口２５から送り出される。なお、テープカートリッジＣには、収容するテープＴの幅として、６〔ｍｍ〕、９〔ｍｍ〕、１２〔ｍｍ〕および１８〔ｍｍ〕の４種類のものが用意されている。
【００３０】
切断部１４０は、テープ排出口２５に臨んで左右方向にスライド自在なカッタ２６と、カッタ２６の後側に重なってカッタ２６と共にスライドするテープ押え部材４１と、カッタ２６を切断動作させる手動操作レバー２１と、手動操作レバー２１とカッタ２６との間に介設した回動アーム４２と、で構成されている。この場合、手動操作レバー２１のレバー操作により回動アーム４２が回動し、この回動アーム４２によりカッタ２６およびテープ押え部材４１がスライドして、テープＴを押えた状態で押切り式の切断が行われる。回動アーム４２を介して手動操作レバー２１から押込み力を伝達されると、カッタ２６と共にテープ押え部材４１が先方にスライド移動を開始する。
【００３１】
カッタ刃４３の先端に対しテープ押え部材４１のテープ押え面部４５は、スライド方向（切断方向）にわずかに突出しており、この移動に伴って、カッタ刃４３に先行するように、テープ押え部材４１が、テープＴを押し挟むようにして突き当たる。これにより、テープ押え部材４１は移動を停止するが、カッタ２６は、ばね４６を押し縮めるようにして、テープＴに切り込んでゆく。この場合、カッタ刃４３は、テープＴを幅方向上から下に向かって、押切り形式で徐々に切り込んでゆき、テープＴを切断する。このとき、送り方向下流側で、テープ押え部材４１が、押し縮められたばね４６の付勢力によりテープＴを強く挟み込んで押えているため、テープＴを安定して切断することができる。カッタ刃４３の刃先がスリット２４の位置をオーバーランしてテープＴが完全に切断されると、手動操作レバー２１が度あたり状態となり、更なる切込み動作が阻止される。
【００３２】
ここでユーザが手動操作レバー２１を戻すと、カッタ２６がテープ押え部材４１に先行して戻り動作に移行し、回動アーム４２の基部に取り付けられたコイルバネ８４の回転力により、こんどはテープ押え部材４１を伴って、戻り方向にスライド移動する。そして、テープ押え部材４１の上下に形成された一対のガイド片部が、カッタ支持フレーム４４に形成された一対のガイド溝の終端に達して、戻り方向にスライド移動が停止する。また、テープ押え部材４１がテープＴから離れた瞬間に、テープＴ（ラベル）がその自重によりテープ排出口２５から排出する。なお、テープ長ｔが短い場合（排出位置２５ａからの露出長さが短い場合）や作業上ラベルを下に落としたくない場合には、ユーザがテープＴの先端部を指で抓んだ状態で、切断動作を行うことにより、確実にかつ落とすことなく、テープＴ（ラベル）を装置外に排出させることができる。
【００３３】
駆動部１３０は、ディスプレイドライバ１３１と、ヘッドドライバ１３２と、テープ送りモータドライバ１３３とを備えている。ディスプレイドライバ１３１は、制御部２００から出力される制御信号に基づき、その指示にしたがって、操作部１１０のディスプレイ４を駆動する。同様に、ヘッドドライバ１３２は、制御部２００の指示にしたがって、印刷部１２０の印刷ヘッド７を駆動する。また、テープ送りモータドライバ１３３は、同様に、制御部２００の指示にしたがって、印刷部１２０のテープ送りモータ８を駆動する
【００３４】
操作部１１０は、キーボード３とディスプレイ４とを備えている。ディスプレイ４は、３キャラクタ（以下単に「文字」）分を表示可能な表示画面を有し（図５参照）、ユーザがキーボード３からデータを入力して、文字列画像データなどの印刷画像データを作成・編集したり、その結果等を視認したり、キーボード３から各種指令・選択指示等を入力したりする際などに用いられる。
【００３５】
キーボード３には、アルファベットキー群、数字キー群、および平仮名や片仮名等の仮名キー群等を含む文字キー群３１の他、各種の動作モードなどを指定するための機能キー群３２などが配列されている。機能キー群３２には、機能キー群３２には、図外の電源キー、印刷動作を指示するための印刷キー、並びに、テキスト入力時のデータ確定や改行および選択画面における各種モードの選択指示のための選択キー３２３が含まれる。
【００３６】
また、機能キー群３２には、さらに、左（「←」）方向へのカーソル移動を行うためのカーソルキー３３０Ｌ（ただし、本実施形態では上（「↑」）の行も左側に並ぶので、上の行へ移動させる（カーソル「↑」キー３３０Ｕの）意味も含めて、適宜、カーソルキー３３０ＵＬといい、左上向きの黒三角表示のキーで図示する：図６参照）、および、右（「→」）方向へのカーソル移動を行うためのカーソルキー３３０Ｒ（ただし、下（「↓」）の行も右側に並ぶので、下の行へ移動させる（カーソル「↓」キー３３０Ｄの）意味も含めて、適宜、カーソルキー３３０ＤＲといい、右下向きの黒三角表示のキーで図示する：図６参照）が含まれる。また、これらを代表するときは「カーソルキー３３０」という。
【００３７】
また、機能キー群３２には、さらに、仮名入力における「゛」（濁音符）の濁音記号キー３２Ｂ、「゜」（半濁音符）の濁音記号キー３２Ｐ、１文字削除あるいは全文消去を指示するための削除キー３２４、濁音文字または半濁音文字の確定状態を解除して、２文字分の未確定状態に戻す解除キー３２５、各種指示を取り消すための取消キー３２６、書体・スタイル・文字装飾等を設定するための設定モードに切り換えるためのモードキー３２９、ファイル操作のためのファイルキーなどが含まれる。なお、当然ながら、一般的なキーボードと同様に、これらのキー入力は、各キー入力毎に個別にキーを設けて入力しても良いし、シフトキー等と組み合わせてより少ない数のキーを用いて入力しても良い。ここでは、理解を容易にするために上記の分だけキーがあるものとして説明する。図１に示すように、キーボード３は、上述のような種々の指令およびデータを制御部２００に入力する。
【００３８】
制御部２００は、ＲＡＭ２４０や周辺制御回路（Ｐ−ＣＯＮ）２５０を内蔵するＣＰＵ２１０と、ＲＯＭ２２０とを備え、互いに内部接続されている。ＲＯＭ２２０は、ＣＰＵ２１０で処理する制御プログラムを記憶する制御プログラム領域２２１の他、色変換テーブルや文字修飾テーブルなどを含む制御データを記憶する制御データ領域２２２およびキャラクタジェネレータＲＯＭ（ＣＧ−ＲＯＭ）領域２２３を有している。ＣＧ−ＲＯＭ領域２２３は、文字、記号、図形等のフォントデータを記憶していて、文字等を特定するコードデータが与えられたときに、対応するフォントデータを出力する。
【００３９】
ＲＡＭ２４０は、電源オフ時にも図外のバックアップ回路によって電源の供給を受けており、各種レジスタ群２４１、キーボード１０からの文字等のテキストデータを記憶する編集テキストデータ領域２４２、ディスプレイ４の表示画像データを記憶する表示画像データ領域２４３、印刷画像データを記憶する印刷画像データ領域２４４の他、印刷バッファなどの各種バッファ領域２４５などの領域を有して、作業領域として使用される。Ｐ−ＣＯＮ２５０には、周辺回路とのインタフェース信号を取り扱うための論理回路が組み込まれ、キーボード３と接続されて、各種指令や入力データなどをそのままあるいは加工して取り込むとともに、データや制御信号を、そのままあるいは加工して駆動部１３０に出力する。
【００４０】
そして、ＣＰＵ２１０は、上記の構成により、ＲＯＭ２２０内の制御プログラムに従って、Ｐ−ＣＯＮ２５０を介して各種指令、各種データ等を入力し、ＣＧ−ＲＯＭ２３０からのフォントデータ、ＲＡＭ２４０内の各種データ等を処理し、Ｐ−ＣＯＮ２５０を介して駆動部１３０に制御信号を出力することにより、テープ送りモータ８の駆動制御やディスプレイ４の表示制御等を行うとともに、印刷ヘッド７を制御して所定の印刷条件でテープＴに印刷するなど、テープ印刷装置１全体を制御している。
【００４１】
上述のように、テープ印刷装置１は、全体として所定の厚みを有して形成されており、片手で簡単に把持して持ち運び可能となるように、小型に形成されている。また、使用に際しては、装置本体を両手で包み込むように把持した状態で、両手の親指等でキーボード３をキー操作することで所望の文字等を入力するようにする。さらに、印刷完了後において、テープＴを切断する場合には、この把持した状態で、右手人差し指或いは中指等で手動操作レバー２１を手前内側に回動操作する。
【００４２】
このテープ印刷装置１を使用する場合には、まず、装置本体を裏側に反転して下ケース２ｃを取り外し、ポケット６にテープカートリッジＣを装着すると、テープＴの繰り出し端部およびインクリボンＲが、プラテン５８と印刷ヘッド７の間に挿入され、且つプラテン５８がプラテン駆動軸２８に、リボン巻取リール５９がリボン巻取軸１９に係合する。そして、下ケース２ｃを中ケース２ｂに取り付けると、テープＴおよびインクリボンＲを挟むように、印刷ヘッド７が回動して、プラテン５８に当接し印刷待機状態となる。
【００４３】
次に、装置本体を表裏反転させ、これを両手に把持した状態で入力の準備を行う。ここで、電源キーを押釦してＯＮし、ディスプレイ４を参照しながらキーボード３を操作して、まずテープカートリッジＣの種別情報を入力する。テープカートリッジＣの種別認識後、キーボード３を操作して、所望の文字等を入力・編集し、印刷実行を指令する。
【００４４】
印刷実行が指令されると、テープＴおよびインクリボンＲが同時に送られ、印刷ヘッド７が適宜発熱駆動することにより、インクリボンＲのインクが熱転写してテープＴに印刷が行われる。印刷後のインクリボンＲは、テープカートリッジ４内で巻き取られるが、印刷後のテープＴは、テープ排出口２５（排出位置２５ａ）から送り出されてゆく。テープＴの送り停止を待って、ユーザにより手動操作レバー２１のレバー操作が為されると、スライド移動したテープ押え部材４１がテープＴを挟み込んで押えた後、スライド移動してきたカッタ２６により、テープＴの印刷済み部分が切り落とされる。
【００４５】
前述のように、本実施形態のテープ印刷装置１は、携帯型のテープ印刷装置であり、ディスプレイ４は、ごく小さな表示画面（具体的には３文字分のみを表示可能な表示画面）しか有しない。そこで、まず、表示および編集の対象となるテキストデータ（のフォーマット：いわゆるデータ構造）は、初期状態では、図５（ａ）に示すようになっていて、ディスプレイ４では、それに対応して、図５（ｂ）に示すように表示される（画面Ｔ００：以下、ディスプレイ４の表示画面の表示状態を画面Ｔ××で表現し、参照番号としてはＴ××のみで示す。また、カーソル位置はカーソルＫで図示する。ただし、本実施形態のカーソルＫは表示画面内の２文字目の右側に固定表示され、編集対象の文字等が相対的に移動することにより、カーソルとしての役目を果たす）。図５（ａ）のＩｎｄｅｘ＝０（以下、Ｉｎ［０］のように示す）の値は、暫定設定値であり（以下、Ｉｎ［０］＝「暫定設定値」のように示す）、同様に、Ｉｎ［１］＝「書式」、Ｉｎ［２］＝「スタイル」、Ｉｎ［３］＝「第１行頭」を示し、これらはいずれも２バイト（１６ビット）の数値で表現されている。
【００４６】
これらのうち、Ｉｎ［１］＝「書式」は、いわゆる「書式」を示し、通常（機能の高いテープ印刷装置等では）、定長印刷（各種ファイル、ＦＤ、ＣＤ、ビデオ／音響テープなどの定型の他、任意設定の定長印刷を含む）、地紋（背景に印刷する地模様）、余白（前余白、後余白、自動による多目、少な目、普通、その他任意設定）および鏡文字の適否などの設定値を示す。また、Ｉｎ［２］＝「スタイル」は、いわゆる「スタイル」の設定値であり、外枠の有無、縦・横（縦書き／横書き）、サイズ（ここでは行数）、行サイズ等の設定値を示す。次に、Ｉｎ［０］＝「暫定設定値」およびＩｎ［３］＝「第１行頭」の仕様では、最初の「データ識別」（４ビット）により、その部分（データ）が「暫定モード」なのか「行頭」なのか（すなわち、そのデータが文書全体に暫定的に（デフォルト値として）設定された「暫定設定値」を示すのか、あるいは個別の行に対する設定値を示すのか）を示す。続く５ビットは、いわゆる「書体」の選択肢の設定値を示し、次の３ビットはいわゆる「装飾」の設定値を示し、末尾のダミー４ビット（将来機能追加用）を付加して１６ビットを形成している。
【００４７】
前述の図５（ｂ）の状態（Ｔ００）において、黒地四角に白文字の「１」のマークは第１行の行頭マーク、すなわち上述した「第１行頭」の行頭マークであり、以下、「第ｎ行頭」の行頭マークを第ｎ行マークＨｎ（ｎ＝１、２、・・・：本例ではｎ＝１または２のみ）で示す。したがって、何も文字入力をしていない初期状態では、図示のように、カーソルＫの左側に第１行マークＨ１が表示される（Ｔ００）。
【００４８】
テープ印刷装置１では、この状態（Ｔ１０）からユーザにより例えば文字列「あいうえお」が順次入力されると、それらのテキストデータは、図５（ｃ）の（データ構造の）ように格納され、図５（ｄ）のように表示される（Ｔ０８）。また、ユーザは、この状態（Ｔ０８）からカーソル「←」キー３３０Ｌ（３３０ＵＬ）を操作することにより、「あいうえお」の「い」と「う」の間（すなわち「い」の右側）にカーソルＫを（相対的に）移動させ、改行のために選択キー３２３を押すことにより、それ以降の文字列「うえお」を第２行とすることができる。この場合、データとしては、図５（ｅ）のように、Ｉｎ［６］＝「第２行頭」が挿入され、ディスプレイ４（の表示画面）には、図５（ｆ）のように、第２行の行頭を示す第２行マークＨ２が挿入される（Ｔ０９）。
【００４９】
この状態（Ｔ０９）は、図６（ａ）の画面Ｔ９２の状態と同じであり、図６に示すように、ユーザが、カーソルキー３３０ＵＬを押す度に図示上方の状態へ状態遷移し、カーソル「→」キー３３０Ｒ（３３０ＤＲ）を押す度に図示下方の状態へ状態遷移する（Ｔ９０〜Ｔ９５）。また、これらの状態で、印刷キーが押されると、図６（ｂ）のように、第１行が「あい」、第２行が「うえお」の２行構成の文書を印刷するので、ユーザは、印刷後に手動操作レバー２１を操作して、図示の印刷画像Ｇ９のラベルを作成できる。
【００５０】
ここで、上述の説明では、例えば文字列「あいうえお」を順次入力としたが、テープ印刷装置１では、この入力方法として、いわゆるローマ字入力の他、平仮名または片仮名によるいわゆる「仮名入力」を使用することができ、この場合の濁音文字や半濁音文字の扱いを工夫しているので、以下、その点について、説明する。なお、上述の説明で平仮名を使用する例を示したので、以下では片仮名の例を示す（もちろん、双方とも同様に扱える）。また、濁音符または半濁音符を付すことにより濁音文字または半濁音文字となり得る文字（被濁音文字）として、濁音文字および半濁音文字の双方になり得る被濁音文字「ハ」を例に挙げる。
【００５１】
例えばユーザが「バ」を入力する場合、図７に示すように、初期状態から（Ｔ００）、一旦、（カナキー３２ｈａを利用して）被濁音文字「ハ」を入力し（Ｔ０１）、続いて濁音符（゛）を表現しつつ１文字分を要する濁音記号「゛」を濁音記号キー３２Ｂにより入力する（Ｔ１０）。この状態では、濁音符（゛）の未確定状態として入力され、それを示すように反転文字（黒地に白文字）の濁音記号「゛」を表示する（Ｔ１０）。
【００５２】
この場合、被濁音文字と濁音記号とを個別に２文字分として扱い、１文字分の濁音記号（ここでは「゛」の記号）が未確定状態で表示されているので、その濁音記号を削除する削除キー３２４の押下により、「バ」の未確定状態（すなわち「ハ」＋「゛」の未確定状態）から被濁音文字「ハ」の単独の状態に容易に戻せる（Ｔ１１：Ｔ０１と同じ）。このことは、「バ」を削除し、改めて被濁音文字「ハ」を（仮名キー群から探して）再入力するのに比べて、遙かに楽な（編集）作業となる。そして、この状態から、半濁音符（゜）を表現しつつ同じく１文字分を要する濁音記号「゜」を濁音記号キー３２Ｐにより入力することにより、「パ」の未確定状態（すなわち「ハ」＋「゜」の未確定状態）に変えることができる（Ｔ１２）。
【００５３】
一方、テープ印刷装置１では、直前の操作（による各種指示や各種処理）を取り消す（キャンセルする）ための取消キー３２６を有しているので、上記の状態（Ｔ１１）から、取消キー３２６の押下により削除操作による作用（１文字削除の処理）をキャンセルして、元の状態、すなわち「バ」の未確定状態（「ハ」＋「゛」の未確定状態）に戻すことができる（Ｔ１３：Ｔ１０と同じ）。以下、この例のように、直前の状態に戻す操作を、図７（ｂ）（の取消キー３２６による図示上方向きの操作）のように図示する。
【００５４】
次に、テープ印刷装置１では、キー数節約のために、１文字削除の削除キー３２４を所定時間（例えば２秒間）以上押し続ける（長押しする）ことで、文書全体を消去する「全文消去」を指示する。この場合、１文字削除のつもりで押して、それが長くなって「全文消去」の指示になってしまった可能性があるので、例えば図８（ａ）に示すように、「バ」の未確定状態（「ハ」＋「゛」の未確定状態）から（Ｔ２０）、削除キーが２秒以上押下された時点で、全文消去か否かを確認するメッセージを表示し（Ｔ２１）、ユーザにより選択キー３２３が押された時点で、全文消去を行って、初期状態に戻す（Ｔ２２）。一方、誤操作のときには、ユーザは取消キー３２６（または２秒以内の削除キー３２４）を押すことにより、「全文消去」の指示（となってしまった操作）をキャンセルできる。
【００５５】
そして、この場合、キャンセルされると、元の状態、すなわち「バ」の未確定状態（「ハ」＋「゛」の未確定状態）に戻る。言い換えると、図１５の従来の処理とは異なり、元の状態に戻すことができ（Ｔ２３：Ｔ２０と同じ：図７のＴ１０と同じ）、その状態から、やり直すことができる。例えば改めて削除キー３２４を（２秒未満）押して被濁音文字「ハ」の単独の状態に戻したり、さらには濁音記号「゜」を濁音記号キー３２Ｐにより入力することにより、「パ」の未確定状態（すなわち「ハ」＋「゜」の未確定状態）に変えることができる（図７のＴ１０〜Ｔ１２参照）。なお、選択キー３２３の操作による作用も取消キー３２６により取り消すことができるので、図７（ｂ）と同様にして、図８（ｂ）のように示すことができる。
【００５６】
図１４で説明したように、あるいは図７で上述のように、被濁音文字と濁音記号とを個別に２文字分として扱う場合、濁音文字（例えば「バ」）と半濁音文字（例えば「パ」）との交換が容易になるという利点があり、図１５の従来の例では、その利点を生かすことができないが、図８で上述のように、本実施形態の文字処理方法では、上記利点を生かすことができ、濁音記号を間違って入力した場合などの誤操作による誤処理を容易に修正できる。
【００５７】
次に、図１６の従来の例に対応して、図９に示すように、図９（ａ）のように「パリ」と入力したかった場合に（Ｔ３０〜Ｔ３１）、図９（ｂ）のように誤って「バリ」と入力してしまったときには（Ｔ４０〜Ｔ４１）、「リ」を入力した時点で「バ」が確定されている。ただし、本実施形態の文字処理方法では、この状態から（Ｔ４１）、「リ」の入力を取り消す（キャンセルする）ことにより、元の状態（「バ」の未確定状態：「ハ」＋「゛」の未確定状態）に戻すことができる（Ｔ４２：Ｔ４０と同じ）。
【００５８】
すなわち、図８で上述の誤操作による「全文消去」の例と同様に、被濁音文字「ハ」の単独の状態に戻したり（Ｔ４３）、さらには濁音記号「゜」を入力して「パ」の未確定状態（すなわち「ハ」＋「゜」の未確定状態）に変えることができ（Ｔ４４）、濁音記号を間違って入力した場合などの誤操作による誤処理を容易に修正でき、あるいは濁音文字（例えば「バ」）と半濁音文字（例えば（パ））とを容易に交換できる。なお、各種の指示操作による作用を取消キー３２６により取り消すことができるので、上述の図９の例を、各操作のキャンセル操作をも含めて模式化して示すと、図１０に示すようになる。
【００５９】
次に、図１７の従来の例に対応して、図１１に示すように、図１１（ｂ）のように「カバ」と入力するときには、一旦、図１１（ａ）のように「カハ」の２文字分＋「゛」の未確定状態の１文字分の合計３文字分となり（Ｔ５０）、その後の選択キー３２３の押下により（あるいは印刷キー３２２の押下により印刷画像Ｇ０を例えばテープに印刷して）、「カバ」と確定される（Ｔ５１）。ただし、本実施形態の文字処理方法では、この状態から（Ｔ５１）、「バ」の確定を取り消す（キャンセルする）ことにより、元の状態（「バ」の未確定状態：「ハ」＋「゛」の未確定状態）に戻すことができる（Ｔ５２：Ｔ５０と同じ）。
【００６０】
このため、図１８の従来の例に対応して、図１２に示すように、「コンパ」と入力したかったのに対して誤って「コンバ」と入力してしまったときには（Ｔ６０）、選択キー３２３の押下により（あるいは印刷キー３２２の押下により印刷画像Ｇ１をテープに印刷して）、「コンバ」と確定される（Ｔ６１）。ただし、本実施形態の文字処理方法では、この状態から（Ｔ６１）、「バ」の確定を取り消す（キャンセルする）ことにより、元の状態（「バ」の未確定状態：「ハ」＋「゛」の未確定状態）に戻すことができる（Ｔ６０）。そして、改めて、濁音記号「゛」を削除し（Ｔ６２）、濁音記号「゜」を入力して「パ」の未確定状態（「ハ」＋「゜」の未確定状態）に変えてから（Ｔ６３）、改めて選択キー３２３により（あるいは印刷キー３２２により印刷画像Ｇ２をテープに印刷して）確定できる（Ｔ６４）。
【００６１】
上述のように、本実施形態のテープ印刷装置１における文字処理方法では、基本的には、１文字分の被濁音文字（例えば「ハ」）を仮名入力し、その直後に、濁音符（゛）または半濁音符（゜）を表現する１文字分の濁音記号（「゛」または「゜」）を（未確定）入力し、確定操作が行われたときに、未確定状態から確定状態に移行させる。すなわち、被濁音文字およびその直後の濁音記号の合計２文字分の代わりに、１文字分の濁音文字または半濁音文字として確定する。
【００６２】
この場合、濁音符または半濁音符の入力が未確定状態で第１操作（上述の図７の例の１文字削除指示操作、図８の例の全文消去指示操作、図９〜図１０の後続文字入力による確定操作、図１１〜図１２の選択または印刷指示等による確定操作）が行われ、その直後に第２操作が行われ、かつ、第２操作が第１操作の作用をキャンセルする操作であるときに、すなわち、第２操作によって、第１操作により進めようとした文字処理をキャンセルして、元に戻したいときなどには、第１操作直後の状態が未確定状態か否かに拘わらず、第２操作後には未確定状態にする（未確定状態に戻す）。これにより、その時点の状態からやり直しやすくなり、誤操作した場合等のやり直し（処理修正）が煩雑になるのを防止でき、濁音文字や半濁音文字に対する誤操作による誤処理を容易に修正でき、編集効率を向上できる。
【００６３】
なお、上述の実施形態において、特に図９〜図１２等の例においては、未確定状態からの最初の操作を第１操作としてそれをキャンセルする第２操作を直後に行った場合に、１文字として確定された濁音文字または半濁音文字を２文字分の未確定状態に戻したが、任意の時点で、１文字分の確定状態を解除し、２文字分の未確定状態に分解できるようにしても良い。
【００６４】
この場合、例えば図１３に示すように、誤操作等により「バリ」と入力され確定された状態から（Ｔ７０：図９、図１０のＴ４１と同じ）、カーソル操作により修正したい濁音文字「バ」をカーソル指定し（Ｔ７１）、解除キー３２５により１文字分の確定された濁音文字「バ」を、２文字分の「バ」の未確定状態（「ハ」＋「゛」の未確定状態）に戻し（Ｔ７２）、濁音符（゛）の濁音記号（「゛」）を半濁音符（゜）の濁音記号（「゜」）に修正し（Ｔ７３〜Ｔ７４）、改めて確定することにより（Ｔ７５）、「バリ」から「パリ」に容易に修正でき、その印刷画像Ｇ３を印刷したラベルを作成できる。
【００６５】
なお、誤操作等により「ハリ」と入力した場合も、上記の濁音符（゛）の濁音記号（「゛」）を削除した状態（Ｔ７３）と同じになるので、容易に修正できる（Ｔ７４〜Ｔ７５と同じ）。また、変則的な方法としては、「ハ」「゛」「リ」のまま「゜」を挿入できるようにして、「バ」「リ」→「ハ」「゛」「リ」→「ハ」「゜」「゛」「リ」→「ハ」「゜」「リ」→「パ」「リ」のような順で修正できるようにしても良い。
【００６６】
すなわち、この例の文字処理方法では、一旦、１文字として確定された濁音文字や半濁音文字を２文字分から成る未確定状態に戻すことができるので、その未確定状態からのやり直しが容易にできる。この結果、被濁音文字（例えば「ハ」）、それに濁音符（゛）を付与した濁音文字（「バ」）および半濁音符（゜）を付与した半濁音文字（「バ」）の相互間での修正が容易になり、濁音文字や半濁音文字に対して、誤操作等による誤処理を容易に修正でき、編集効率を向上できる。また、この例の場合、カーソル指定により、任意の時点で被濁音文字（「ハ」）、濁音文字（「バ」）または半濁音文字（「パ」）を指定して修正できるので、操作性および編集の自由度が高くなっている。この場合、カーソル指定された文字が濁音文字でも半濁音文字でもないときに解除指示が為されたときには、エラー報知するなどの工夫もできる。
【００６７】
なお、上述の各例では、被濁音文字として、濁音文字および半濁音文字の双方になり得る「ハ」を例に挙げたが、この点では「ハ」行の他の文字「ヒ」「フ」「ヘ」「ホ」も同じであり、平仮名の「は」行の文字も同様であることは言うまでもない。また、半濁音文字に成らない被濁音文字、例えば「カ」行や「サ」行の場合も、未確定状態に戻すことができることによって、上述の「バ」から「ハ」に戻す関係と同様に、誤操作による誤処理を容易に修正でき、編集効率を向上できる。
【００６８】
また、上述の実施形態では、サーマル方式のテープ印刷装置について説明したが、インクジェット方式その他のテープ印刷装置にも適用できる。また、同様の条件、すなわち仮名入力において一旦濁音記号を１文字分として処理する文字処理装置であれば、他の形式の印刷装置その他の装置にも適用できる。これらの他、本発明の要旨を逸脱しない範囲で、適宜変更も可能である。
【符号の説明】
【００６９】
１：テープ印刷装置  ３：キーボード  ４：ディスプレイ  Ｃ：テープカートリッジ  ７：印刷ヘッド  ２１：手動操作レバー  ２６：カッタ  ３１：文字キー群  ３２：機能キー群  １１０：操作部  １２０：印刷部  １３０：駆動部  １４０：切断部  ２００：制御部  ２１０：ＣＰＵ  ２２０：ＲＯＭ  ２３０：ＣＧ−ＲＯＭ  ２４０：ＲＡＭ  Ｃ：テープカートリッジ  Ｇ０、Ｇ１、Ｇ２、Ｇ３：印刷画像  Ｈ１、Ｈ２：行マーク  Ｒ：インクリボン  Ｔ：テープ
【図１】
2011187085.tif 000003
【図２】
2011187085.tif 000004
【図３】
2011187085.tif 000005
【図４】
2011187085.tif 000006
【図５】
2011187085.tif 000007
【図６】
2011187085.tif 000008
【図７】
2011187085.tif 000009
【図８】
2011187085.tif 000010
【図９】
2011187085.tif 000011
【図１０】
2011187085.tif 000012
【図１１】
2011187085.tif 000013
【図１２】
2011187085.tif 000014
【図１３】
2011187085.tif 000015
【図１４】
2011187085.tif 000016
【図１５】
2011187085.tif 000017
【図１６】
2011187085.tif 000018
【図１７】
2011187085.tif 000019
【図１８】
2011187085.tif 000020
【手続補正書】
【提出日】平成23年7月15日(2011.7.15)
【手続補正１】
【補正対象書類名】特許請求の範囲
【補正対象項目名】全文
【補正方法】変更
【補正の内容】
【特許請求の範囲】
【請求項１】
濁音符または半濁音符を付与することにより濁音文字または半濁音文字となる１文字分の被濁音文字を仮名入力した後、
前記被濁音文字の次に前記濁音符または前記半濁音符を１文字分として入力して、濁音文字または半濁音文字を未確定状態とし、
この未確定状態において、前記濁音符または前記半濁音符の次に文字を入力する操作が行われた場合に、前記濁音文字または前記半濁音文字を１文字分として確定するようにした文字処理装置の制御方法であって、
前記文字の入力操作を取り消す操作が行われたときに、入力された前記文字を消去すると共に、１文字分として確定した前記濁音文字または前記半濁音文字を、前記被濁音文字および前記濁音符、または前記被半濁音文字および前記半濁音符の２文字分に分け、前記濁音符または前記半濁音符を前記未確定状態に戻すことを特徴とする文字処理装置の制御方法。
【請求項２】
濁音符または半濁音符を付与することにより濁音文字または半濁音文字となり得る被濁音文字を仮名入力するための被濁音文字入力手段と、
前記被濁音文字の次に前記濁音符または前記半濁音符を１文字分として入力して、濁音文字または半濁音文字を未確定状態とするための濁音記号入力手段と、
この未確定状態において、前記濁音符または前記半濁音符の次に文字を入力する操作が行われた場合に、前記濁音文字または前記半濁音文字を１文字分として確定する濁音確定手段と、
前記文字の入力操作を取り消す操作が行われたときに、入力された前記文字を消去すると共に、１文字分として確定した前記濁音文字または前記半濁音文字を、前記被濁音文字および前記濁音符、または前記被半濁音文字および前記半濁音符の２文字分に分け、前記濁音符または前記半濁音符を前記未確定状態に戻す確定取消手段と、を備えたことを特徴とする文字処理装置。
【請求項３】
印刷画像として印刷対象物に印刷する印刷手段を、更に備え、
前記印刷対象物がテープであることを特徴とする請求項２に記載の文字処理装置。
【請求項４】
コンピューターを、請求項２または３に記載の文字処理装置における各手段として機能させるためのプログラム。
【手続補正３】
【補正対象書類名】明細書
【補正対象項目名】０００１
【補正方法】変更
【補正の内容】
【０００１】
本発明は、平仮名または片仮名の仮名入力により入力された文字を処理する文字処理装置の制御方法、文字処理装置およびプログラムに関する。
【手続補正４】
【補正対象書類名】明細書
【補正対象項目名】０００９
【補正方法】変更
【補正の内容】
【０００９】
本発明は、１文字分の被濁音文字の後にそれに付与すべき濁音符または半濁音符を表現する１文字分の濁音記号を入力し、かつ、未確定状態で一旦２文字分として扱うタイプにおいて、濁音文字や半濁音文字に対する誤操作による誤処理を容易に修正でき、編集効率を向上できる文字処理装置の制御方法、文字処理装置およびプログラムを提供することを目的とする。
【手続補正５】
【補正対象書類名】明細書
【補正対象項目名】００１０
【補正方法】変更
【補正の内容】
【００１０】
本発明の文字処理装置の制御方法は、濁音符または半濁音符を付与することにより濁音文字または半濁音文字となる１文字分の被濁音文字を仮名入力した後、被濁音文字の次に濁音符または半濁音符を１文字分として入力して、濁音文字または半濁音文字を未確定状態とし、この未確定状態において、濁音符または半濁音符の次に文字を入力する操作が行われた場合に、濁音文字または半濁音文字を１文字分として確定するようにした文字処理装置の制御方法であって、文字の入力操作を取り消す操作が行われたときに、入力された文字を消去すると共に、１文字分として確定した濁音文字または半濁音文字を、被濁音文字および前記濁音符、または被半濁音文字および半濁音符の２文字分に分け、濁音符または半濁音符を未確定状態に戻すことを特徴とする。
【手続補正６】
【補正対象書類名】明細書
【補正対象項目名】００１１
【補正方法】変更
【補正の内容】
【００１１】
本発明の文字処理装置は、濁音符または半濁音符を付与することにより濁音文字または半濁音文字となり得る被濁音文字を仮名入力するための被濁音文字入力手段と、被濁音文字の次に濁音符または半濁音符を１文字分として入力して、濁音文字または半濁音文字を未確定状態とするための濁音記号入力手段と、この未確定状態において、濁音符または半濁音符の次に文字を入力する操作が行われた場合に、濁音文字または半濁音文字を１文字分として確定する濁音確定手段と、文字の入力操作を取り消す操作が行われたときに、入力された文字を消去すると共に、１文字分として確定した濁音文字または半濁音文字を、被濁音文字および濁音符、または被半濁音文字および半濁音符の２文字分に分け、濁音符または半濁音符を未確定状態に戻す確定取消手段と、を備えたことを特徴とする。
また、本発明のプログラムは、上記に記載の文字処理装置における各手段として機能させるためのものであることを特徴とする。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２２
【補正方法】変更
【補正の内容】
【００２２】
上述のように、本発明の文字処理装置の制御方法、文字処理装置およびプログラムによれば、１文字分の被濁音文字の後にそれに付与すべき濁音符または半濁音符を表現する１文字分の濁音記号を入力し、かつ、未確定状態で一旦２文字分として扱うタイプにおいて、濁音文字や半濁音文字に対する誤操作等による誤処理を容易に修正でき、編集効率を向上できる、などの効果がある。